(57)【要約】【課題】練習者の足元の傾斜や芝の状態を調整できるゴルフ練習器を提供する。【解決手段】ゴルフ練習器１０は、ベースマット１４，下側回転台２０，上側回転台３０，これらの駆動用モータ２８及び３８，人工芝マット４０，コントロールスイッチ６０を備えている。前記下側回転台２０は、設置面１２に対して略平行な下面と、該下面に対して傾斜した上面を有しており、前記上側回転台３０は、前記下側回転台２０の上面と略同一形状及び寸法の下面と、該下面に対して傾斜した上面３０Ａを有している。前記上面３０Ａには、芝の状態が異なる複数のブロックを有する人工芝マット４０が回転可能に設けられている。前記下側回転台２０と上側回転台３０の回転により、前記上面３０Ａの傾斜具合を調整し、前記人工芝マット４０の回転により、所望の状態の人工芝４４を選び、筒５２など利用してゴルフボールをセットする。【選択図】図１
2009273600.tif 000002
【特許請求の範囲】
【請求項１】
略平面状のベースマットと、
該ベースマットの上面に回転可能に取り付けられており、下面が水平面に形成され、上面が前記下面に対して傾斜した略円盤状の下側回転台，
該下側回転台の上面に回転可能に取り付けられており、下面が前記下側回転台の上面と略同一形状及び寸法に形成され、上面が前記下面に対して傾斜した略円盤状の上側回転台，
該上側回転台の上面に形成された凹部に嵌合ないし収納可能であって、基板の表面に人工芝が設けられた人工芝マット，
該人工芝マットにゴルフボールを乗せるための複数のボール保持手段，
を備えるとともに、
前記人工芝マットが、前記上側回転台に対して回転可能又は着脱可能であることを特徴とするゴルフ練習器。
【請求項２】
前記人工芝マットの人工芝が、芝の長さ又は芝目の少なくともいずれかが異なる複数の部分を含むことを特徴とする請求項１記載のゴルフ練習器。
【請求項３】
前記下側回転台を回転させる第１の駆動機構，
前記上側回転台を前記下側回転台と独立して回転させる第２の駆動機構，
を備えたことを特徴とする請求項１又は２記載のゴルフ練習器。
【請求項４】
前記第１及び第２の駆動機構を制御する制御手段，
を備えたことを特徴とする請求項３記載のゴルフ練習器。
【請求項５】
前記ボール保持手段が、
前記人工芝マットの基板に形成された穴，
上端が開放した略筒状であって、前記穴に取り付けられるとともに、軸方向に対して略直交する下端に対して、前記上端が略平行に形成された水平用保持体，
上端が開放した略筒状であって、前記穴に取り付けられるとともに、軸方向に対して略直交する下端に対して、前記上端が傾斜した傾斜用保持体，
を含むことを特徴とする請求項１〜４のいずれかに記載のゴルフ練習器。
【請求項６】
前記ボール保持手段が、前記人工芝マットの人工芝に形成されたディボットであることを特徴とする請求項１〜４のいずれかに記載のゴルフ練習器。
【発明の詳細な説明】
【技術分野】
【０００１】
本発明は、ゴルフ練習器に関し、更に具体的には、利用者の足元の傾斜及び芝の状態の調整に関するものである。
【背景技術】
【０００２】
従来、ゴルフ練習場では、練習者の足元は水平状態であるが、実際のコースには様々な傾斜があり、実践に直結した練習を行うには限度があった。このような問題に対して、例えば、下記特許文献１には、二つの傾斜回転台によってグリーン全体の傾斜を変化させるとともに、上方の傾斜回転台に設けたゼリー状のパック表面をゴムローラーで転がしてイメージをえがきながら傾斜、起伏をつくるようにしたゴルフパット練習器、イメージ基礎装置が開示されている。また、下記特許文献２には、人工芝を備えた所望形状のマット本体の表面を所望の傾斜面に形成して、プレーヤーの両足の位置と練習ボールとの位置を好みの傾斜状態に変化できるようにして成ることを特徴とするゴルフ練習用マットが開示されている。
【特許文献１】実開平６−８６７６８号公報
【特許文献２】特開２００４−３３２４３号公報
【発明の開示】
【発明が解決しようとする課題】
【０００３】
しかしながら、以上のような背景技術には次のような不都合がある。まず、前記特許文献１に記載の技術では、芝の感覚を再現することができないばかりか、ゴムローラーを用意しなければならないという不都合がある。また、前記特許文献２に記載の技術では、同形２枚のマット本体を重合して、互いにマット本体の重合位置を変化させて表面のマット本体の傾斜面の角度を変化させることはできるが、人工芝の状態を変えることはできない。実際のコースでは、芝の状態（長さや芝目）も様々であり、練習の段階で多様な芝の状態に慣れておくことができれば好都合である。更に、前記いずれの背景技術においても、傾斜の調整を手動で行うため、練習効率が低下したり、同じ傾き具合を再現するのが困難であったりするという不都合がある。
【０００４】
本発明は、以上の点に着目したもので、その目的は、練習者の足元の傾斜や芝の状態を調整ないし変更できるゴルフ練習器を提供することである。他の目的は、足元の傾斜具合を自動で変更できるゴルフ練習器を提供することである。
【課題を解決するための手段】
【０００５】
前記目的を達成するため、本発明は、略平面状のベースマットと、該ベースマットの上面に回転可能に取り付けられており、下面が水平面に形成され、上面が前記下面に対して傾斜した略円盤状の下側回転台，該下側回転台の上面に回転可能に取り付けられており、下面が前記下側回転台の上面と略同一形状及び寸法に形成され、上面が前記下面に対して傾斜した略円盤状の上側回転台，該上側回転台の上面に形成された凹部に嵌合ないし収納可能であって、基板の表面に人工芝が設けられた人工芝マット，該人工芝マットにゴルフボールを乗せるための複数のボール保持手段，を備えるとともに、前記人工芝マットが、前記上側回転台に対して回転可能又は着脱可能であることを特徴とする。
【０００６】
主要な形態の一つは、前記人工芝マットの人工芝が、芝の長さ又は芝目の少なくともいずれかが異なる複数の部分を含むことを特徴とする。他の形態は、前記下側回転台を回転させる第１の駆動機構，前記上側回転台を前記下側回転台と独立して回転させる第２の駆動機構，を備えたことを特徴とする。更に他の形態は、前記第１及び第２の駆動機構を制御する制御手段，を備えたことを特徴とする。
【０００７】
更に他の形態は、前記ボール保持手段が、前記人工芝マットの基板に形成された穴，上端が開放した略筒状であって、前記穴に取り付けられるとともに、軸方向に対して略直交する下端に対して、前記上端が略平行に形成された水平用保持体，上端が開放した略筒状であって、前記穴に取り付けられるとともに、軸方向に対して略直交する下端に対して、前記上端が傾斜した傾斜用保持体，を含むことを特徴とする。あるいは、前記ボール保持手段が、前記人工芝マットの人工芝に形成されたディボットであることを特徴とする。本発明の前記及び他の目的，特徴，利点は、以下の詳細な説明及び添付図面から明瞭になろう。
【発明の効果】
【０００８】
本発明は、ベースマットの上面に対して回転可能な下側回転台と、該下側回転台の上面に対して回転可能な上側回転台とを備え、これらの回転により上側回転台の上面の傾斜を調整するとともに、前記上側回転台の上面の凹部に、人工芝マットを回転可能又は着脱可能に嵌合ないし収納することとした。このため、練習者の足元の傾斜や芝の状態を変更して、実践に即した練習が可能となる。更に、前記回転台の回転を自動で行うことにより、練習の効率向上及び傾きの再現性の向上を図ることができるという効果が得られる。
【発明を実施するための最良の形態】
【０００９】
以下、本発明を実施するための最良の形態を、実施例に基づいて詳細に説明する。
【実施例１】
【００１０】
最初に、図１〜図４を参照しながら本発明の実施例１を説明する。図１(A)は本実施例の外観斜視図，図１(B)は前記(A)を＃Ａ−＃Ａ線に沿って切断し矢印方向に見た断面図，図１(C)は平面図である。図２は、本実施例の傾きの調整例を示す図，図３は、本実施例の人工芝の構造を示す主要断面図である。図４は、前記人工芝の分割例を示す平面図及び断面図である。図１に示すように、本実施例のゴルフ練習器１０は、ベースマット１４，下側回転台２０，上側回転台３０，これら回転台を駆動するためのモータ２８及び３８，人工芝マット４０，コントロールスイッチ６０などにより構成されている。前記ベースマット１４は、略平面状であって、設置面１２に対してピン１６などによって固定される。また、略中央部には、先端に凸状の曲面部１８Ａが形成された軸１８の下端が固定されている。
【００１１】
下側回転台２０は、全体が略円盤状であって、下面が水平面に形成されており、上面が前記下面に対して傾斜した傾斜面となっている。該下側回転台２０の略中央部には、前記軸１８が垂直方向に貫通する貫通孔２２が形成されており、該貫通孔２２を貫通する軸１８は、ベアリング２４によって回転可能に支持されている。また、前記下側回転台２０の下面と前記ベースマット１４の上面の間には、ベアリング付きのローラ２６が設けられている。前記軸１８，ベアリング２４，ローラ２６により、前記下側回転台２０が、前記ベースマット１４の上面に対して回転可能となっている。このような下側回転台２０は、図示しない伝達機構によって減速機付きのモータ２８に接続され、該モータ２８によって図１に矢印１で示す方向に回転駆動される。なお、前記モータ２８は、配線６２によってコントロールスイッチ（ないしリミットスイッチ）６０に接続されている。前記下側回転台２０は、例えば、直径２ｍ程度に設定されており、一番高さが低い部分が約１０ｃｍ，一番高さがある部分が約２５ｃｍ程度に設定されている。
【００１２】
次に、上側回転台３０は、全体が略円盤状であって、下面が前記下側回転台２０の上面と略同一形状及び寸法に形成され、上面３０Ａが前記下面に対して傾斜して（非平行となって）おり、全体の寸法は、前記下側回転台２０とほぼ同一に設定されている。該上側回転台３０の下面の略中央部には、前記軸１８の凸状の曲面部１８Ａを受ける凹状の曲面部３２が形成されており、上面３０Ａの略中央部には、略円形の凹部３６が形成されている。また、前記上側回転台３０の下面と、前記下側回転台２０の上面の間には、ベアリング付きのローラ３４が設けられている。従って、前記曲面部１８Ａ及び３２とローラ３４により、下側回転台２０に対して、上側回転台３０が回転可能となっている。このような上側回転台３０は、図示しない伝達機構によって減速機付きのモータ３８に接続され、該モータ３８によって図１に矢印Ｆ１で示す方向に回転駆動される。前記モータ３８は、配線６４により前記コントロールスイッチ６０に接続される。なお、前記上側回転台３０の上面３０Ａは、その下面に対しては傾斜しているものの、図１(B)に示す状態では、設置面１２に対して略水平状態になっている。そして、該上側回転台３０と下側回転台２０を回転することにより、上面３０Ａの傾きを、前記図２(A)〜(D)に示すように調整することができる。
【００１３】
前記コントロールスイッチ６０は、前記下側回転台２０と上側回転台３０の回転を制御するものであって、例えば、複数の操作ボタン（図示せず）を備えており、各ボタンの選択によって、予め設定された状態に前記上面３０Ａの傾斜が調整される。例えば、
ボタン１：水平（図１(B)の状態）
ボタン２：前上り（図面奥を前方、図面手前を後方としたときの図２(C)の状態）
ボタン３：前下り（図２(D)の状態）
ボタン４：左足下り，右足上り（図面右側を右足側、図面左側を左足側としたときの図２(A)の状態）
ボタン５：左足上り，右足下り（図２(B)の状態）
ボタン６：左足上り，前上り，右足下り（図２(B)及び(C)の状態の組み合わせ）
ボタン７：左足下り，前上り，右足上り（図２(A)及び(C)の状態の組み合わせ）
ボタン８：左足上り，前下り，右足下り（図２(B)及び(D)の状態の組み合わせ）
ボタン９：左足下り，前下り，右足上り（図２(A)及び(D)の状態の組み合わせ）
という具合に、上側回転台３０の上面３０Ａの傾きが設定される。
【００１４】
次に、人工芝マット４０について説明する。人工芝マット４０は、略円形であって、前記上側回転台上面３０Ａに形成された略円形の凹部３６に収納されており、基板４２上に人工芝４４を設けた構成となっている。該人工芝マット４０の底面と上側回転台３０の凹部３６の間には、キャスターローラ４６が設けられ、前記人工芝マット４０の側面と前記凹部３６の内側面の間には、他のキャスターローラ４８が設けられている。これらキャスターローラ４６，４８により、前記人工芝マット４０が前記上側回転台３０に対して図１に矢印Ｆ２で示す方向に回転可能となっている。
【００１５】
本実施例では、図３(A)に示すように、前記人工芝マット４０の基板４２には、適宜間隔で複数の穴５０が設けられている。該穴５０は、ボルフボール５６を乗せる筒５２，５４をセットするためのもので、例えば、４０〜５０個程度設けられている。前記筒５２は、上端が開いており、軸方向に略直交する下端に対して、前記上端が略平行に形成されている。そして、前記上側回転台３０の上面３０Ａが、図１(B)に示すように設置面１２に対して略平行状態にある場合には、該筒５２の上端５２Ａにゴルフボール５６を乗せる。他方の筒５４も、同じく上端５４Ａが開放しているが、該上端５４Ａは下端に対して傾斜している。例えば、上側回転台上面３０Ａが、図３(B)に示すように傾いた状態では、前記筒５２に乗せたゴルフボール５６は上端５２Ａから転がり落ちてしまう。このような場合は、前記筒５４Ａを、図３(C-1)に示すように、穴５０内で回転させ、上端５４Ａが設置面１２と略平行となるように向きを変える。すると、図３(C-2)に示すように、ゴルフボール５６を安定して乗せることができる。前記ゴルフボール５６を保持する機構としては、例えば、図３(D-1)に示すように、人工芝４４に設けたディボット５８を利用するようにしてもよい。該ディボット５８にゴルフボール５６をセットすると、上側回転台上面３０Ａが傾いたとしても、図３(D-2)に示すように、ボール５６を保持することができる。
【００１６】
更に、本実施例では、前記人工芝マット４０の人工芝４４は、図４に示すように複数のブロックに分けられる。図４(A-1)及び(A-2)に示す例では、人工芝４４の中心を通る線によってブロック４４Ａ，４４Ｂに分けられており、ブロック４４Ａの芝の方が、ブロック４４Ｂの芝よりも長く形成されている。図４(B)に示す例では、略平行な２本の線によって３つのブロック４４Ａ〜４４Ｃに分けられており、各ブロックの芝の長さが異なっている。図４(C)に示す例では、略平行な３本の線によって、４つのブロック４４Ａ〜４４Ｄに分けられており、それぞれ芝の長さと芝目（芝の生える方向）が異なっている。図４(D)に示す例は、人工芝４４の中心で直交する２本の線によって、４つのブロック４４Ａ〜４４Ｄに分けられた例であって、図４(C)に示す例と同様に、各ブロックの芝の長さと芝目が異なっている。このように、人工芝４４を、芝の状態（長さ及び／又は芝目）が異なる複数のブロックで構成することにより、人工芝マット４０を上側回転台３０に対して回転させて、所望の状態の芝を選んで練習することができる。なお、前記人工芝マット４０の回転は、本実施例は、図示しないハンドルなどを利用して手動で行われる。
【００１７】
次に、本実施例の作用を説明する。まず、ゴルフ練習器１０を任意の設置面１２に予め設置しておき、コントロールスイッチ６０の電源をＯＮにしておく。利用者は、前記コントロールスイッチ６０の操作により、前記下側回転台２０及び上側回転台３０を回転させ、上面３０Ａが所望の傾きとなるように調整する。次に、前記利用者は、前記人工芝マット４０を回転させ、所望の状態の芝を選択し、筒５２又は５４を利用してゴルフボール５６を乗せ、練習を行う。このとき、芝の状態は、芝目が打つ方向に向いている方が好ましい。前記上面３０Ａの傾きを変えるときは、前記コントロールスイッチ６０で他の傾斜状態を選択し、芝の状態を変えるときは、前記人工芝マット４０を回転させて変更する。
【００１８】
このように、実施例１によれば、次のような効果がある。
(1)ベースマット１４の上面に対して回転可能な下側回転台２０と、該下側回転台２０の上面に対して回転可能な上側回転台３０を設け、これらの回転により上側回転台３０の上面３０Ａの傾斜を調整することとしたので、練習者の足元の傾斜状態を変更できる。
(2)前記上側回転台３０の上面３０Ａの凹部３６に、前記上側回転台３０に対して回転可能な人工芝マット４０を収納するとともに、前記人工芝マット４０の人工芝４４を状態（長さや芝目）の異なる複数のブロックで形成したので、実践に即した芝の状態を選択できる。
(3)前記下側回転台２０及び上側回転台３０を、モータ２８，３８により駆動するとともに、該モータ２８，３８をコントロールスイッチ６０によって制御することとしたので、自動で前記上面３０Ａの傾斜を変更できる。これにより、練習の効率向上及び傾きの再現性の向上を図ることができる。
(4)前記人工芝マット４０にゴルフボール５６を乗せるために、水平用の筒５２と、傾斜用の筒５４を用意したので、前記上面３０Ａを傾斜させても、ゴルフボール５６を安定して保持することができる。
【００１９】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材質についても同様に、所望の強度が得られるものであれば、公知の各種の材質を用いて形成してよい。
(2)前記下側回転台２０及び上側回転台３０の回転機構も一例であり、ベルト機構，ギヤ機構を用いる等、同様の効果を奏するように適宜設計変更してよい。例えば、前記実施例１では、駆動用のモータ２８，３８を回転台の外側に設けたが、内蔵型としてもよい。また、下側回転台２０と上側回転台３０のいずれか一方を自動とし、他方を手動で回転するようにしてもよい。
【００２０】
(3)前記人工芝マット４０の回転機構も一例であり、同様の効果を奏するように適宜設計変更してよい。また、前記実施例では、手動で回転させることとしたが、自動で回転する機構としてもよい。
(4)前記実施例では、前記人工芝マット４０を、上側回転台３０に対して回転可能な機構としたが、これも一例であり、前記上側回転台３０に対して着脱可能な構成とし、人工芝マット４０の向きを変えて装着したり、異なる芝の状態を有する人工芝マット４０と交換したりしてもよい。
(5)前記実施例で示した人工芝４４の分割例も一例であり、必要に応じて適宜変更してよい。
【００２１】
(6)前記実施例で示したゴルフボール５６の保持機構も一例であり、公知のティーを人工芝マット４０の基板４２に立てて利用するなど、同様の効果を奏するように適宜変更してよい。
(7)前記コントロールスイッチ６０も一例であり、必要に応じて設けるようにすればよい。また、前記実施例１で示したコントロールスイッチ６０による制御形態も一例であり、図１及び図２に示す状態のほか、打ち出す方向に対しても角度を付けた斜め前上り（例えば、斜め左足上り）などのような複雑な傾斜を自由に選べるようにしてもよい。
(8)本発明のゴルフ練習器は、右打ち・左打ちのどちらの場合にも適用できる。また、アイアンの練習に好適であるが、ドライバやウッドなど他のクラブの練習に利用することを妨げるものではない。
【産業上の利用可能性】
【００２２】
本発明によれば、ベースマットの上面に対して回転可能な下側回転台と、該下側回転台の上面に対して回転可能な上側回転台とを備え、これらの回転により上側回転台の上面の傾斜を調整する。また、前記上側回転台の上面の凹部に、人工芝マットを回転可能又は着脱可能に収納ないし嵌合することで、練習者の足元の傾斜や芝の状態を変更可能としたので、ゴルフ練習器の用途に適用できる。
【図面の簡単な説明】
【００２３】
【図１】本発明の実施例１を示す図であり、(A)は外観斜視図，(B)は前記(A)を＃Ａ−＃Ａ線に沿って切断し矢印方向に見た断面図，(C)は平面図である。
【図２】前記実施例１の傾きの調整例を示す図である。
【図３】前記実施例１の人工芝の構造を示す主要断面図である。
【図４】前記人工芝の分割例を示す平面図及び断面図である。
【符号の説明】
【００２４】
１０：ゴルフ練習器
１２：設置面
１４：ベースマット
１６：ピン
１８：軸
１８Ａ：曲面部
２０：下側回転台
２２：貫通孔
２４：ベアリング
２６，３４：ローラ
２８，３８：モータ
３０：上側回転台
３０Ａ：上面
３２：曲面部
３６：凹部
４０：人工芝マット
４２：基板
４４：人工芝
４４Ａ〜４４Ｄ：ブロック
４６，４８：キャスターローラ
５０：穴
５２，５４：筒
５２Ａ，５４Ａ：上端
５６：ゴルフボール
５８：ディボット
６０：コントロールスイッチ（リミットスイッチ）
６２，６４：配線
【図１】
2009273600.tif 000003
【図２】
2009273600.tif 000004
【図３】
2009273600.tif 000005
【図４】
2009273600.tif 000006
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
略平面状のベースマットと、
該ベースマットの上面に回転可能に取り付けられており、下面が水平面に形成され、上面が前記下面に対して傾斜した略円盤状の下側回転台，
該下側回転台の上面に回転可能に取り付けられており、下面が前記下側回転台の上面と略同一形状及び寸法に形成され、上面が前記下面に対して傾斜した略円盤状の上側回転台，
該上側回転台の上面の略中央部に形成された略円形の凹部に嵌合ないし収納可能であって、基板の表面に人工芝が設けられており、前記上側回転台に対して回転可能な略円形の人工芝マット，
該人工芝マットにゴルフボールを乗せるための複数のボール保持手段，
を備えるとともに、
前記人工芝マットの人工芝が、芝の長さ又は芝目の少なくともいずれかが異なる複数の部分を含むことを特徴とするゴルフ練習器。
【請求項２】
前記下側回転台を回転させる第１の駆動機構，
前記上側回転台を前記下側回転台と独立して回転させる第２の駆動機構，
を備えたことを特徴とする請求項１記載のゴルフ練習器。
【請求項３】
前記第１及び第２の駆動機構を制御する制御手段，
を備えたことを特徴とする請求項２記載のゴルフ練習器。
【請求項４】
前記ボール保持手段が、
前記人工芝マットの基板に形成された穴，
上端が開放した略筒状であって、前記穴に取り付けられるとともに、軸方向に対して略直交する下端に対して、前記上端が略平行に形成された水平用保持体，
上端が開放した略筒状であって、前記穴に取り付けられるとともに、軸方向に対して略直交する下端に対して、前記上端が傾斜した傾斜用保持体，
を含むことを特徴とする請求項１〜３のいずれかに記載のゴルフ練習器。
【請求項５】
前記ボール保持手段が、前記人工芝マットの人工芝に形成されたディボットであることを特徴とする請求項１〜３のいずれかに記載のゴルフ練習器。
【手続補正２】
【補正対象書類名】明細書
【補正対象項目名】０００５
【補正方法】変更
【補正の内容】
【０００５】
前記目的を達成するため、本発明のゴルフ練習器は、略平面状のベースマットと、該ベースマットの上面に回転可能に取り付けられており、下面が水平面に形成され、上面が前記下面に対して傾斜した略円盤状の下側回転台，該下側回転台の上面に回転可能に取り付けられており、下面が前記下側回転台の上面と略同一形状及び寸法に形成され、上面が前記下面に対して傾斜した略円盤状の上側回転台，該上側回転台の上面の略中央部に形成された略円形の凹部に嵌合ないし収納可能であって、基板の表面に人工芝が設けられており、前記上側回転台に対して回転可能な略円形の人工芝マット，該人工芝マットにゴルフボールを乗せるための複数のボール保持手段，を備えるとともに、前記人工芝マットの人工芝が、芝の長さ又は芝目の少なくともいずれかが異なる複数の部分を含むことを特徴とする。
【手続補正３】
【補正対象書類名】明細書
【補正対象項目名】０００６
【補正方法】変更
【補正の内容】
【０００６】
主要な形態の一つは、前記下側回転台を回転させる第１の駆動機構，前記上側回転台を前記下側回転台と独立して回転させる第２の駆動機構，を備えたことを特徴とする。他の形態は、前記第１及び第２の駆動機構を制御する制御手段，を備えたことを特徴とする。
【手続補正４】
【補正対象書類名】明細書
【補正対象項目名】０００８
【補正方法】変更
【補正の内容】
【０００８】
本発明は、ベースマットの上面に対して回転可能な下側回転台と、該下側回転台の上面に対して回転可能な上側回転台とを備え、これらの回転により上側回転台の上面の傾斜を調整するとともに、前記上側回転台の上面の略中央部の略円形の凹部に、略円形の人工芝マットを回転可能に嵌合ないし収納するとともに、前記人工芝マットの人工芝が、芝の長さ又は芝目の少なくともいずれかが異なる複数の部分を含むこととした。このため、練習者の足元の傾斜や芝の状態を変更して、実践に即した練習が可能となる。更に、前記回転台の回転を自動で行うことにより、練習の効率向上及び傾きの再現性の向上を図ることができるという効果が得られる。
【手続補正５】
【補正対象書類名】明細書
【補正対象項目名】００２２
【補正方法】変更
【補正の内容】
【００２２】
本発明によれば、ベースマットの上面に対して回転可能な下側回転台と、該下側回転台の上面に対して回転可能な上側回転台とを備え、これらの回転により上側回転台の上面の傾斜を調整する。また、前記上側回転台の上面の略中央部の略円形の凹部に、略円形の人工芝マットを回転可能に収納ないし嵌合するとともに、前記人工芝マットの人工芝が、芝の長さ又は芝目の少なくともいずれかが異なる複数の部分を含むことで、練習者の足元の傾斜や芝の状態を変更可能としたので、ゴルフ練習器の用途に適用できる。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
略平面状のベースマットと、
該ベースマットの上面に回転可能に取り付けられており、下面が水平面に形成され、上面が前記下面に対して傾斜した略円盤状の下側回転台，
該下側回転台の上面に回転可能に取り付けられており、下面が前記下側回転台の上面と略同一形状及び寸法に形成され、上面が前記下面に対して傾斜した略円盤状の上側回転台，
該上側回転台の上面の略中央部に形成された略円形の凹部に嵌合ないし収納可能であって、基板の表面に人工芝が設けられており、前記上側回転台に対して回転可能な略円形の人工芝マット，
該人工芝マットにゴルフボールを乗せるための複数のボール保持手段，
前記下側回転台を回転させる第１の駆動機構，
前記上側回転台を前記下側回転台と独立して回転させる第２の駆動機構，
前記第１及び第２の駆動機構を制御する制御手段，
を備えるとともに、
前記人工芝マットの人工芝が、芝の長さ又は芝目の少なくともいずれかが異なる複数の部分を含んでおり、
前記制御手段は、複数の操作ボタンを備えており、各ボタンの選択によって、予め設定された状態に、前記上側回転台の上面の傾斜が調整されることを特徴とするゴルフ練習器。
【請求項２】
前記ボール保持手段が、
前記人工芝マットの基板に形成された穴，
上端が開放した略筒状であって、前記穴に取り付けられるとともに、軸方向に対して略直交する下端に対して、前記上端が略平行に形成された水平用保持体，
上端が開放した略筒状であって、前記穴に取り付けられるとともに、軸方向に対して略直交する下端に対して、前記上端が傾斜した傾斜用保持体，
を含むことを特徴とする請求項１記載のゴルフ練習器。
【請求項３】
前記ボール保持手段が、前記人工芝マットの人工芝に形成されたディボットであることを特徴とする請求項１記載のゴルフ練習器。
【手続補正２】
【補正対象書類名】明細書
【補正対象項目名】０００５
【補正方法】変更
【補正の内容】
【０００５】
前記目的を達成するため、本発明のゴルフ練習器は、略平面状のベースマットと、該ベースマットの上面に回転可能に取り付けられており、下面が水平面に形成され、上面が前記下面に対して傾斜した略円盤状の下側回転台，該下側回転台の上面に回転可能に取り付けられており、下面が前記下側回転台の上面と略同一形状及び寸法に形成され、上面が前記下面に対して傾斜した略円盤状の上側回転台，該上側回転台の上面の略中央部に形成された略円形の凹部に嵌合ないし収納可能であって、基板の表面に人工芝が設けられており、前記上側回転台に対して回転可能な略円形の人工芝マット，該人工芝マットにゴルフボールを乗せるための複数のボール保持手段，前記下側回転台を回転させる第１の駆動機構，前記上側回転台を前記下側回転台と独立して回転させる第２の駆動機構，前記第１及び第２の駆動機構を制御する制御手段，を備えるとともに、前記人工芝マットの人工芝が、芝の長さ又は芝目の少なくともいずれかが異なる複数の部分を含んでおり、前記制御手段は、複数の操作ボタンを備えており、各ボタンの選択によって、予め設定された状態に、前記上側回転台の上面の傾斜が調整されることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００８
【補正方法】変更
【補正の内容】
【０００８】
本発明は、ベースマットの上面に対して第１の駆動機構によって回転可能な下側回転台と、該下側回転台の上面に対して第２の駆動機構によって回転可能な上側回転台と、前記第１及び第２の駆動機構を制御する制御手段とを備え、該制御手段が有する複数の操作ボタンの選択によって、予め設定された状態に、前記上側回転台の上面の傾斜を調整する。また、前記上側回転台の上面の略中央部の略円形の凹部に、略円形の人工芝マットを回転可能に嵌合ないし収納するとともに、前記人工芝マットの人工芝が、芝の長さ又は芝目の少なくともいずれかが異なる複数の部分を含むこととした。このため、練習者の足元の傾斜や芝の状態を変更して、実践に即した練習が可能となる。更に、前記回転台の回転を自動で行うことにより、練習の効率向上及び傾きの再現性の向上を図ることができるという効果が得られる。
【手続補正５】
【補正対象書類名】明細書
【補正対象項目名】００２２
【補正方法】変更
【補正の内容】
【００２２】
本発明によれば、ベースマットの上面に対して第１の駆動機構によって回転可能な下側回転台と、該下側回転台の上面に対して第２の駆動機構によって回転可能な上側回転台と、前記第１及び第２の駆動機構を制御する制御手段とを備え、該制御手段が有する複数の操作ボタンの選択によって、予め選択された状態に、前記上側回転台の上面の傾斜を調整する。また、前記上側回転台の上面の略中央部の略円形の凹部に、略円形の人工芝マットを回転可能に収納ないし嵌合するとともに、前記人工芝マットの人工芝が、芝の長さ又は芝目の少なくともいずれかが異なる複数の部分を含むことで、練習者の足元の傾斜や芝の状態を再現性良く変更可能としたので、ゴルフ練習器の用途に適用できる。